(57)【要約】【課題】ルーバーの左右方向からエアフィルタを挿脱し得るエアフィルタの取付構造を提供する。【解決手段】筐体１２の前面パネル３２に空気吸込口３４,３４が開設される。各空気吸込口３４には、エアフィルタ６６を保持し得る収容部７８を有したルーバー６８が設けられる。収容部７８は、筐体１２の内側方向へ突出する凸円弧形状に形成される。ルーバー６８の左右の側部に、収容部７８に連通する挿脱口８０,８０を夫々形成し、エアフィルタ６６は、両挿脱口８０,８０を介して左右何れの方向からでも挿脱可能とされる。また、挿脱口８０は、前面パネル３２に対し斜め外方に向けて開口する。【選択図】図２
2009109078.tif 000002
【特許請求の範囲】
【請求項１】
筐体(12)のパネル(32)に開設した空気吸込口(34)にルーバー(68,69)が設けられ、該ルーバー(68,69)の収容部(78,79)にエアフィルタ(66,67)を取付ける構造であって、
前記ルーバー(68,69)の左右の側部に、前記収容部(78,79)に連通する挿脱口(80,80,81,81)を夫々形成し、両挿脱口(80,80,81,81)を介してエアフィルタ(66,67)をルーバー(68,69)の左右何れの方向からでも挿脱し得るよう構成した
ことを特徴とするエアフィルタの取付構造。
【請求項２】
前記収容部(78)は、筐体(12)の内側方向へ突出する凸弧形状に形成されると共に、前記挿脱口(80,80)は、前記パネル(32)に対し斜め外方に向けて開口されている請求項１記載のエアフィルタの取付構造。
【請求項３】
前記ルーバー(69)は、本体部(71)の左右両側部に前記挿脱口(81,81)を設けて構成され、前記筐体(12)のパネル(32)には、前記空気吸込口(34)を画成すると共にルーバー(69)の本体部(71)を収容するよう該筐体(12)の内側へ延出する設置部(92)が形成され、該設置部(92)に対し枢支機構(94a〜94d)を介してルーバー(69)を回動自在に軸支することで、該ルーバー(69)は、設置部(92)に収容されて挿脱口(81,81)が該設置部(92)内に退避する収容姿勢と、枢支機構(94a〜94d)を支点として左右何れかの側部が設置部(92)の外方へ突出し、該側部に設けた挿脱口(81)が外部に露出する傾斜姿勢とを姿勢変位可能に構成されている請求項１または２記載のエアフィルタの取付構造。
【発明の詳細な説明】
【技術分野】
【０００１】
この発明は、エアフィルタの取付構造に関し、更に詳細には、例えば、自動製氷機や冷蔵庫等の本体を構成する筐体のパネルにルーバーが配設され、該ルーバーにエアフィルタを取付ける構造に関するものである。
【背景技術】
【０００２】
例えば、筐体内に冷凍機構および製氷機構を備え、冷凍機構により冷却された製氷部で多数の氷塊を製造するよう構成した自動製氷機が、レストラン等の厨房施設で好適に使用されている(特許文献１参照)。図８は、従来の自動製氷機１０を概略的に示す横断面図であって、製氷機１０の外観形状を規定する筐体１２の内部には、氷塊を製造する製氷室１４と、冷凍機構１６が配設される機械室１８とが仕切壁２０を介して左右に横並び状態で画成されている(図８では、機械室１８が右側に位置している)。前記冷凍機構１６は、圧縮機２２、凝縮器２４等から基本的に構成されて、該凝縮器２４は、製氷室１４に配設された蒸発器２６と連通接続している。前記蒸発器２６は、製氷室１４に配設された製氷部２８に密着状態で配設され、該蒸発器２６に供給された冷媒を介して製氷部２８を冷却するよう構成される。なお、前記凝縮器２４は、機械室１８に設けた冷却ファン３０により強制空冷して冷媒との間で熱交換を行なうものである。
【０００３】
前記製氷機１０における空冷式の凝縮器２４の熱交換に関連する構造を簡単に説明すると、前記筐体１２を構成する例えば前面パネル３２には、前記機械室１８と対応する位置に空気吸込口３４が開設され、該空気吸込口３４を覆うように目隠し用のルーバー３６が配設されている。そして、機械室１８に配設された前記冷却ファン３０を回転させて空気吸込口３４から吸込んだ空気は、凝縮器２４に接触して熱交換を行ない該凝縮器２４を冷却するようになっている。なお、凝縮器２４と熱交換して高温となった空気は、筐体１２の後面パネル３８に設けた空気排出口４０から外部へ排出されるようになっている。
【０００４】
この場合に、機械室１８には、空気と共に各種塵埃も空気吸込口３４を介して吸込まれ、これら塵埃の一部は凝縮器２４での熱交換効率を低下させ、オーバーヒート等による故障の原因となる。そこで、冷却ファン３０により吸込まれる空気は、凝縮器２４に接触する前に浄化して、空気中に含まれる塵埃を除去しておく必要があるが、この塵埃除去のため、エアフィルタ４２が一般に使用されている。フィルタ４２のルーバー３６への取付構造としては、ルーバー３６の一方側(例えば、図８では左側)からエアフィルタ４２を挿入して取付けるようにしたものが一般的である。
【０００５】
すなわち、従来例に係るルーバー３６は、エアフィルタ４２を収容可能な収容部４４が内部に画成されると共に、該収容部４４に連通する単一の挿脱口４６がルーバー３６の一方の側端面(図８では、左側端面)に開設されている。そして、この挿脱口４６からエアフィルタ４２を差込んで、該フィルタ４２を収容部４４に挿入するようになっている。なお、ルーバー３６を設けるパネルとしては、前記前面パネル３２に限らず、右側パネル４８に設けることも可能である。右側パネル４８にルーバー３６を設けた場合、前記挿脱口４６は自動製氷機１０の前方に向けて開口し、エアフィルタ４２はルーバー３６に対し前後方向に挿脱されることとなる(図８の二点鎖線参照)。
【特許文献１】特開２０００−３０４４１４号公報
【発明の開示】
【発明が解決しようとする課題】
【０００６】
ところが、従来のルーバー３６は、エアフィルタ４２を一方向(単方向)からしか挿脱し得ない構造となっているので、自動製氷機１０の設置場所Ａとの関係において、以下のような問題が生じている。従来例に示す如く、ルーバー３６の左側からのみエアフィルタ４２を挿脱し得る構成であると、図８に示すように、機械室１８が自動製氷機１０の右側に位置している場合は、自動製氷機１０の設置場所Ａに拘らず、問題なくエアフィルタ４２を挿脱することができる。しかしながら、図９に示すように、機械室１８が左側に位置している自動製氷機１１であって、設置場所Ａの壁部ａが左側パネル５０の左方に臨むような場合、エアフィルタ４２を挿脱するためのスペースを確保するため、自動製氷機１１を壁部ａからある程度離間させて設置する必要が生じてしまう。すなわち、設置場所Ａの壁部ａに隙間なく自動製氷機１１を設置すると、エアフィルタ４２の挿脱(着脱)が不能となる事態が生じ得る。
【０００７】
また、図９の二点鎖線で示すように、左側パネル５０にルーバー３６が設けられている場合、エアフィルタ４２は自動製氷機１０の後側から挿脱することとなり、エアフィルタ４２の着脱作業が非常に煩雑となる。これらの事態を回避するためには、右側からエアフィルタ４２を挿脱し得るルーバー３６を別途用意しなければならず、製品コストが嵩んでしまう。
【０００８】
なお、従来のルーバー３６は、エアフィルタ４２を単に収容部４４に挿入して装着する構成となっており、該エアフィルタ４２を収容部４４に装着した際に、該フィルタ４２の飛び出しを防止するストッパ等は設けられていない。従って、自動製氷機１０の運送時や設置時、更には、清掃等のメンテナンス時などに自動製氷機１０が振動して、エアフィルタ４２がルーバー３６の収容部４４から飛び出してしまうこともあった。
【０００９】
そこで、本発明は、前述した従来の技術に内在している前記欠点に鑑み、これを好適に解決するべく提案されたものであって、ルーバーに対し、左右何れの方向からでもエアフィルタを挿脱し得るエアフィルタの取付構造を提供することを目的とする。
【課題を解決するための手段】
【００１０】
前述した課題を解決し、所期の目的を好適に達成するため、本発明に係るエアフィルタの取付構造は、
筐体のパネルに開設した空気吸込口にルーバーが設けられ、該ルーバーの収容部にエアフィルタを取付ける構造であって、
前記ルーバーの左右の側部に、前記収容部に連通する挿脱口を夫々形成し、両挿脱口を介してエアフィルタをルーバーの左右何れの方向からでも挿脱し得るよう構成したことを特徴とする。
請求項１の発明によれば、エアフィルタを左右どちら側からでもルーバーに挿脱し得る構成としたので、ルーバーの設置箇所や筐体の設置位置によってエアフィルタが着脱不能となる事態を回避でき、設計の自由度を拡大し得る。しかも、エアフィルタを挿脱する方向を状況に合わせて変更することができ、作業効率が向上し得る。また、ルーバーの右側に挿脱口を設けたタイプと、左側に挿脱口を設けたタイプの２種類のルーバーを用意する必要がなく、製造コストを低廉にし得ると共に、ルーバーの筐体への取付方向を誤るといったミスが発生することもない。
【００１１】
請求項２に係るエアフィルタの取付構造では、前記収容部は、筐体の内側方向へ突出する凸弧形状に形成されると共に、前記挿脱口は、前記パネルに対し斜め外方に向けて開口されている。
請求項２の発明によれば、収容部を凸弧形状に湾曲させて、エアフィルタをパネルの斜め外方へ向けて挿脱するよう構成したので、複数のルーバーを横並びで配置したとしても、エアフィルタを挿脱する際に隣接するルーバーに干渉することがない。
【００１２】
請求項３に係るエアフィルタの取付構造では、前記ルーバーは、本体部の左右両側部に前記挿脱口を設けて構成され、前記筐体のパネルには、前記空気吸込口を画成すると共にルーバーの本体部を収容するよう該筐体の内側へ延出する設置部が形成され、該設置部に対し枢支機構を介してルーバーを回動自在に軸支することで、該ルーバーは、設置部に収容されて挿脱口が該設置部内に退避する収容姿勢と、枢支機構を支点として左右何れかの側部が設置部の外方へ突出し、該側部に設けた挿脱口が外部に露出する傾斜姿勢とを姿勢変位可能に構成されている。
請求項３の発明によれば、収容姿勢のルーバーは、挿脱口が収容部内に退避する状態となるので、何等かの理由により筐体が振動したとしても、エアフィルタがルーバーから飛び出してしまうことはない。また、収容姿勢のルーバーは、収容部に収容されてパネルからの突出量が僅かとなり、筐体の外観を向上し得ると共に、省スペースを実現し得る。
【発明の効果】
【００１３】
本発明に係るエアフィルタの取付構造によれば、エアフィルタをルーバーの左右両側から挿脱し得るので、ルーバーの取付位置の制限がなくなって自由な設計を実現し得る。
【発明を実施するための最良の形態】
【００１４】
次に、本発明に係るエアフィルタの取付構造につき、好適な実施例を挙げて、添付図面を参照しながら以下説明する。なお、実施例では、エアフィルタの取付構造を自動製氷機に実施した場合で説明する。また、以下の説明で「前」、「後」、「左」、「右」とは、図１に示す如く、自動製氷機を正面側から見た状態を基準に指称する。
【実施例１】
【００１５】
図１に示すように、実施例１に係る自動製氷機６０は、その本体をなす筐体１２の四面が前面パネル３２、右側パネル４８、左側パネル５０および後面パネル３８(図２参照)から構成され、該筐体１２の内部に、製氷機構を備えた製氷室１４と、冷凍機構１６を収容する機械室１８とが仕切壁２０を介して左右の関係で画成されている。図２に示すように、前記機械室１８には、冷凍機構１６を構成する凝縮器２４、冷却ファン３０、圧縮機２２等が配置され、該凝縮器２４は前記製氷室１４に配設された蒸発器２６に図示しない連通管を介して連通接続されている。前記蒸発器２６は、製氷室１４に配設され氷塊を製造する製氷部２８に密着的に配設され、製氷運転において前記冷凍機構１６から蒸発器２６に循環供給された冷媒により製氷部２８を冷却するよう構成される。なお、実施例１では、製氷室１４に３つの製氷部２８,２８,２８が並列的に配設されている。
【００１６】
前記前面パネル３２には、前記製氷室１４に対応する部位に氷取出口６２が開設され、前記製氷部２８の下方に設けた貯氷庫(図示せず)に堆積する氷塊を氷取出口６２を介して外部に取出し得るようになっている。なお、氷取出口６２には、開閉扉６４が回動自在に設けられ、該開閉扉６４を回動することで氷取出口６２が開閉される。前記前面パネル３２における機械室１８に対応する部位には、空冷用の空気を機械室１８内に取入れるための空気吸込口３４が左右に並んで２つ設けられている。また、前記後面パネル３８における機械室１８に対応する部位には、空気吸込口３４,３４から機械室１８内に取入れた空気を外部へ放出する空気排出口４０が開口している。すなわち、前記冷却ファン３０が作動することで、空気吸込口３４,３４を介して外部の空気が機械室１８内に取込まれ、前記凝縮器２４と熱交換した後、空気排出口４０を介して外部へ排出されるようになっている。
【００１７】
前記各空気吸込口３４には、塵埃等の進入を防ぐエアフィルタ６６を保持するためのルーバー６８が設けられている。このルーバー６８は、図３に示すように、前記空気吸込口３４の開口寸法と略一致する大きさに形成されて該吸込口３４に嵌め込まれる本体部７０と、該本体部７０の前面に一回り大きく形成されてルーバー６８を空気吸込口３４に取付けた際に前面パネル３２の前側に臨むフランジ部７２とから基本的に構成される。前記本体部７０およびフランジ部７２には、前後に貫通して空気が流通可能な開口部７４が設けられており、両部材７０,７２は矩形枠体状に形成されている。なお、ルーバー６８の開口部７４には、横方向に延在するスラット７６が上下に所定間隔離間して複数設けられている。このスラット７６は、後方から前方へ掛けて下方に傾斜しており、該スラット７６を設けることで機械室１８内が視認し得ないようになっている。
【００１８】
前記ルーバー６８は、エアフィルタ６６を挿脱自在に収容する収容部７８を有している。この収容部７８は、前方から後方にかけて幅方向中央部が突出する凸円弧形状(凸弧形状)をなしており、エアフィルタ６６を湾曲状態で保持するものである。前記フランジ部７２の左右の側部には、前記収容部７８に連通する挿脱口８０,８０が前面パネル３２に対し斜め前方(外方)へ向けて開口するよう設けられている。すなわち、エアフィルタ６６は、ルーバー６８の左右両側の挿脱口８０,８０を介して、何れの方向からでも挿脱し得るようになっている。また、各挿脱口８０の上下方向の中央部に、後述するエアフィルタ６６の把持部８６に係合する係合部８０ａが設けられている。
【００１９】
図４に示すように、前記エアフィルタ６６は、正面視で矩形状に形成されると共に平面視で後方に突出する凸円弧形状をなし、前記ルーバー６８の収容部７８の寸法と略一致するよう設定された枠体８２と、該枠体８２に張設された塵埃捕集用の網体８４とから構成されている。そして、エアフィルタ６６は、前記ルーバー６８の開口部７４を全面的に覆い得る寸法に設定されている。また、エアフィルタ６６は、全体として弾性変形可能に構成されており、前記ルーバー６８への挿脱をスムーズに行ない得るようになっている。前記枠体８２は、上下の縁部が、前記収容部７８にエアフィルタ６６を挿脱する際の案内部として機能すると共に、左右の何れか一方の側部(図４では左側部)に、エアフィルタ６６を把持する際に把手として機能する把持部８６が設けられている。また、この把持部８６は、エアフィルタ６６をルーバー６８に取付けた際に、前記挿脱口８０の係合部８０ａに係合して、エアフィルタ６６をルーバー６８に固定する機能を有している。
【００２０】
更に実施例１のエアフィルタ６６は、上下の形状が対称となるよう設計されている。従って、エアフィルタ６６を１８０°反転させれば、前記ルーバー６８の右側の挿脱口８０から挿入し得る。すなわち、実施例１では、右用・左用の２種類のエアフィルタを用意しなくとも、１種類のエアフィルタ６６で、左右の挿脱口８０,８０への挿脱が可能となっている。
【００２１】
(実施例１の作用)
次に、実施例１に係るエアフィルタの取付構造の作用について説明する。なお、自動製氷機６０は、図２に示すように、設置場所Ａの右隅部に設置されて該設置場所Ａの壁部ａが右側パネル４８に近接しているものとする。先ず始めに、右側のルーバー６８にエアフィルタ６６を取付ける場合について説明すると、エアフィルタ６６の把持部８６を把持して、該エアフィルタ６６をルーバー６８の左側の挿脱口８０から挿入させる。すなわち、右側の挿脱口８０は設置場所Ａの壁部ａが近接しているためエアフィルタ６６の挿入は不能であるが、左側の挿脱口８０を利用すれば、エアフィルタ６６の取付けが可能となる。エアフィルタ６６を挿入する場合において、前記挿脱口８０は、前面パネル３２の斜め前方へ向けて開口しているので、エアフィルタ６６を斜め前側から挿入することができ、左側のルーバー６８との干渉は回避される。そして、エアフィルタ６６をルーバー６８の収容部７８に完全に押し込むことで、エアフィルタ６６は、凸円弧形状となってルーバー６８に取付けられる。
【００２２】
次いで、左側のルーバー６８にエアフィルタ６６を取付ける場合には、前記同様に、エアフィルタ６６を左側の挿脱口８０を介して挿入させる。そして、エアフィルタ６６を収容部７８に完全に押し込むことで、エアフィルタ６６は、凸円弧形状となって左側のルーバー６８に取付けられる。このとき、ルーバー６８の把持部８６が挿脱口８０の係合部８０ａに係合して、エアフィルタ６６は収容部７８に固定される。なお、左側のルーバー６８については、設置場所Ａの壁部ａが近接していないので、右側の挿脱口８０からエアフィルタ６６を挿入して取付けることも可能である。すなわち、エアフィルタ６６を上下に反転することで、該エアフィルタ６６をルーバー６８の右方から挿入することができる。左右のルーバー６８,６８へのエアフィルタ６６,６６の取付けが完了した後、自動製氷機６０を作動させる。すると、冷却ファン３０の回転により各空気吸込口３４(ルーバー６８の開口部７４)を介して空気が機械室１８内へ取込まれる。この際、各ルーバー６８に設けたエアフィルタ６６によって空気中に含まれる塵埃が捕集される。機械室１８内に取込まれた空気は、凝縮器２４と熱交換して該凝縮器２４を冷却し、高温となった空気が後面パネル３８の空気排出口４０を介して外部へ排出される。
【００２３】
次に、前記エアフィルタ６６を清掃や交換等のために取外す場合について説明する。先ず右側のルーバー６８に設けたエアフィルタ６６を取外す際には、該エアフィルタ６６の把持部８６を持って該フィルタ６６を斜め前方左側へ引き抜く。すると、前記エアフィルタ６６が収容部７８から抜き出され、エアフィルタ６６はルーバー６８から取外される。このとき、前述のように前記挿脱口８０は斜め前方に開口するので、エアフィルタ６６が左側のルーバー６８に干渉することはない。同様に、左側のエアフィルタ６６についても、前記把持部８６を把持して斜め前方左側へ引き抜くことで、エアフィルタ６６が左側のルーバー６８から取外される。こうして、左右のルーバー６８,６８からエアフィルタ６６,６６を取出した後、該エアフィルタ６６,６６に対し清掃等のメンテナンスを施し得る。
【００２４】
なお、実施例１では、ルーバー６８を前面パネル３２に設けた場合を示したが、図２の二点鎖線で示すように、ルーバー６８を例えば、右側パネル４８に設けることも可能である。この場合、エアフィルタ６６はルーバー６８の左側(図２では前方側)の挿脱口８０を介して挿脱すればよい。また、実施例１では、右側に機械室１８が位置する構成の自動製氷機６０について説明したが、図５に示すように、機械室１８が左側にある自動製氷機６１を採用することも可能である。この場合、仮に自動製氷機６１の左方に壁部ａが近接していても、エアフィルタ６６を右側の挿脱口８０を介して挿脱すれば、該壁部ａに干渉することはない。
【００２５】
このように、エアフィルタ６６をルーバー６８の左右何れの方向からでも挿脱し得るので、自動製氷機６０の設置場所如何によってエアフィルタ６６の挿脱が不能となることはなく、自動製氷機６０の設置位置やルーバー６８を前面パネル３２に設ける位置が制限されることがない。しかも、状況に応じてエアフィルタ６６を挿脱する方向を変更することができるので、作業の効率を向上し得る。また、右側に挿脱口８０を設けたタイプと、左側に挿脱口８０を設けたタイプの２種類のルーバー６８を用意する必要がなく、製造コストを低廉にし得る。更に、実施例１では、１種類のエアフィルタ６６で左右の挿脱口８０,８０から挿脱し得る構成としたので、エアフィルタ６６を右側用および左側用の２種類用意する必要がなく、コストを低廉にし得る。
【００２６】
なお、実施例１では、ルーバー６８を左右並列に２つ設けた場合を示したが、ルーバー６８を１つとしたり、３つ以上設けてもよい。なお、ルーバー６８を１つ設ける場合には、隣接するルーバー６８との干渉を考慮する必要はなくなる。従って、ルーバー６８の収容部７８およびエアフィルタ６６の形状は、実施例１の如く、後方に突出する凸円弧形状とする必要はなく、フラットな形状としてもよい。更に、実施例１では、エアフィルタ６６を凸円弧形状としたが、該エアフィルタ６６を弾性変形可能なフラット形状とし、前記収容部７８に挿入する際に該収容部７８の形状に合わせてエアフィルタ６６が変形する態様も採用可能である。
【実施例２】
【００２７】
次に、実施例２に係るエアフィルタの取付構造について、以下説明する。なお、実施例２では、実施例１と相違する箇所のみ説明することとし、実施例１と同一の部材については同じ符号を付して説明を省略する。また、実施例２においても、実施例１と同様に、本発明に係るエアフィルタの取付構造を自動製氷機に実施した場合で説明する。
【００２８】
図６は、実施例２に係るエアフィルタの取付構造が実施された自動製氷機９０の要部を拡大して示す分解斜視図である。自動製氷機９０の前面パネル３２には、前記機械室１８側(筐体１２の内側)へ所要深さで延出する設置部９２が形成され、該設置部９２に後述するリンク部材(枢支機構)９４ａ〜９４ｄを介してルーバー６９が取付けられるようになっている。前記設置部９２は、前面パネル３２を機械室１８側(後側)へ折曲して形成され、上縁部９２ａ、下縁部９２ｂ、左縁部９２ｃおよび右縁部９２ｄを備えている。前記上縁部９２ａおよび下縁部９２ｂには、夫々、左右に離間して取付孔９６ａ〜９６ｄが開設されている。なお、以下の説明では、設置部９２における左上の取付孔を第１取付孔９６ａ、右上の取付孔を第２取付孔９６ｂ、左下の取付孔を第３取付孔９６ｃ、右下の取付孔を第４取付孔９６ｄと指称する。
【００２９】
前記設置部９２に取付けられるルーバー６９は、後方に開放するケース状の本体部７１から基本的に構成される。前記本体部７１の上面部は、その後縁から後方に突出し、更に下方に折曲げられた第１レール部９８を備えている。また、本体部７１の下面部にも、その後縁から後方に突出し、更に上方に折曲げられた第２レール部１００が設けられている。そして、第１レール部９８および第２レール部１００によって挟まれた領域がエアフィルタ６７を収容する収容部７９を構成し、該収容部７９に連通する挿脱口８１が左右の側端面に開口している(図７参照)。なお、実施例２の収容部７９は、図７に示す如く、平面視で直線形状をなしており、実施例１の如く湾曲成形されてはいない。前記本体部７１の前面側には、開口部７４が開設され、該開口部７４を介して機械室１８内に空気が取入れられる。また、開口部７４には、左右に延在する複数のスラット７６が上下に所定間隔離間して配設されている。
【００３０】
前記ルーバー６９の上面部および下面部には、夫々、左右に離間する２つの通孔部１０２ａ〜１０２ｄが開設されている。ここで、ルーバー６９の上面部に設けた通孔部を第１,第２通孔部１０２ａ,１０２ｂとし、ルーバー６９の下面部に設けた通孔部を第３,第４通孔部１０２ｃ,１０２ｄと指称する。なお、ルーバー６９を設置部９２に収容した際に、ルーバー６９の第１通孔部１０２ａおよび第２通孔部１０２ｂの間に設置部９２の第１取付孔９６ａおよび第２取付孔９６ｂが位置し、ルーバー６９の第３通孔部１０２ｃおよび第４通孔部１０２ｄの間に、設置部９２の第３取付孔９６ｃおよび第４取付孔９６ｄが位置するようになっている。
【００３１】
前記ルーバー６９は、４つのリンク部材９４ａ〜９４ｄを介して設置部９２に姿勢変位可能に取付けられる。各リンク部材９４ａ〜９４ｄは、薄板状の長円形状に形成され、一方の端部に上方に突出する上突部１０４が設けられると共に、他方の端部に下方に突出する下突部１０６が設けられている。なお、説明の便宜上、左上のリンク部材を第１リンク部材９４ａ、右上のリンク部材を第２リンク部材９４ｂ、左下のリンク部材を第３リンク部材９４ｃ、右下のリンク部材を第４リンク部材９４ｄと指称することとする。
【００３２】
第１リンク部材９４ａは、下突部１０６がルーバー６９の第１通孔部１０２ａに嵌挿されると共に、上突部１０４を設置部９２の第１取付孔９６ａに嵌挿されるようになっている。また、第２リンク部材９４ｂは、その下突部１０６がルーバー６９の第２通孔部１０２ｂに嵌挿されると共に、上突部１０４が設置部９２の第２取付孔９６ｂに嵌挿される。第３リンク部材９４ｃについては、その上突部１０４がルーバー６９の第３通孔部１０２ｃに嵌挿されると共に、第３リンク部材９４ｃの下突部１０６が第３取付孔９６ｃに嵌挿される。更に、第４リンク部材９４ｄについては、その上突部１０４がルーバー６９の第４通孔部１０２ｄに嵌挿されると共に、下突部１０６が設置部９２の第４取付孔９６ｄに嵌挿されるようになっている。そして、各リンク部材９４ａ〜９４ｄは、自ら回動自在な状態でルーバー６９を設置部９２に連結する機能を果たしている。
【００３３】
このようにルーバー６９は、回動自在に構成された４つのリンク部材９４ａ〜９４ｄを介して設置部９２に取付けられ、以下に示す如く、３種の姿勢変位可能とされている。すなわち、図７に示すように、ルーバー６９は、本体部７１が設置部９２に収容された収容姿勢(図７(ａ)参照)と、左側が設置部９２から前方に突出した第１傾斜姿勢(図７(ｂ)参照)と、右側が設置部９２から前方に突出した第２傾斜姿勢(図７(ｃ)参照)とに姿勢変位可能に構成される。そして、収容姿勢にあっては、ルーバー６９は本体部７１の略全体が設置部９２に収容された状態となり、両側に設けられた挿脱口８１,８１は、設置部９２内に退避している。一方、第１傾斜姿勢では、左側の挿脱口８１が設置部９２から外部に露出した状態となり、エアフィルタ６７を該左側の挿脱口８１を介して挿脱し得る。また、第２傾斜姿勢では、右側の挿脱口８１が設置部９２から外部に露出した状態となり、該右側の挿脱口８１からエアフィルタ６７を挿脱し得るようになる。なお、実施例２では、ルーバー６９を収容姿勢に維持するための図示しない姿勢保持手段が設けられており、収容姿勢にあるルーバー６９が自然に姿勢変位するのを規制している。この姿勢保持手段としては、例えば、ルーバー６９が収容姿勢となったときに、ルーバー６９の本体部７１に設けた係合手段が、設置部９２に設けた被係合手段に係合する構成が採用される。また、実施例２で用いられるエアフィルタ６７は、矩形薄板状のフラット形状をなしており、前記ルーバー６９に対し直線的に挿脱される。
【００３４】
(実施例２の作用)
次に、実施例２に係るエアフィルタの取付構造の作用について説明する。先ず始めに、ルーバー６９にエアフィルタ６７を取付ける場合について説明する。例えば、ルーバー６９の右方に近接して設置場所Ａの壁部ａが臨んでいる場合には(図７(ｂ)参照)、ルーバー６９を第１傾斜姿勢としてエアフィルタ６７を挿入する。すなわち、ルーバー６９の左側部を前方へ引っ張り出して、該ルーバー６９を回動させる。すると、前記第１〜第４リンク部材９４ａ〜９４ｄが連動的に回動して、ルーバー６９は、右側部を支点として左側部が前方へ突出する。そして、ルーバー６９が第１傾斜姿勢となると、左側端面に設けた左側の挿脱口８１が外部に露出し、エアフィルタ６７をルーバー６９の左前方側から挿脱口８１に挿入させることができる。
【００３５】
エアフィルタ６７を収容部７９に完全に挿入することで、該エアフィルタ６７はルーバー６９に取付けられる。次いで、ルーバー６９の左側部を後方へ押し込んで、該ルーバー６９を設置部９２に収容して収容姿勢とさせる(図７(ａ)参照)。すると、左右の挿脱口８１,８１は、設置部９２内に退避して該設置部９２の左右の縁部９２ｃ,９２ｃによって閉塞されるので、仮に自動製氷機９０が振動しても、エアフィルタ６７が収容部７９から飛び出してしまうことはない。そして、自動製氷機９０を作動させると、ルーバー６９に設けたエアフィルタ６７によって空気中に含まれる塵埃が捕集される。なお、収容姿勢のルーバー６９は、前面パネル３２から突出する量が僅かであるため、自動製氷機９０の外観を向上し得ると共に、ルーバー６９が邪魔にならず省スペース化を実現し得る。
【００３６】
エアフィルタ６７をルーバー６９から取外す際には、再びルーバー６９を第１傾斜姿勢とし、左側の挿脱口８１からエアフィルタ６７を抜き出す。そして、ルーバー６９からエアフィルタ６７を取外し、ルーバー６９を収容姿勢に戻すことで、エアフィルタ６７の取外し作業が完了する。
【００３７】
次いで、図７(ｃ)に示すように、ルーバー６９の左側に近接して設置場所Ａの壁部ａが位置している場合には、ルーバー６９を第２傾斜姿勢とすることで、エアフィルタ６７の着脱作業が行なわれる。すなわち、ルーバー６９の右側を前方へ引き出すと、前記第１〜第４リンク部材９４ａ〜９４ｄが連動的に回動して、ルーバー６９が姿勢変位される。そして、ルーバー６９が第２傾斜姿勢となると、右側の挿脱口８１が設置部９２から外部に露出して、該挿脱口８１を介してエアフィルタ６７をルーバー６９の右側から挿入することが可能となる。そして、ルーバー６９にエアフィルタ６７を挿入した後、ルーバー６９を第２傾斜姿勢から収容姿勢に戻してエアフィルタ６７の取付けが完了する。この場合においても、収容姿勢となったルーバー６９は、左右の挿脱口８１,８１が設置部９２内に退避して該設置部９２の左右の縁部９２ｃ,９２ｄによって閉塞されるので、エアフィルタ６７が外部に飛び出すことはない。なお、エアフィルタ６７をルーバー６９から取外す際には、該ルーバー６９を第２傾斜姿勢としたもとで、外部に露出した挿脱口８１を介してエアフィルタ６７を抜き出せばよい。
【００３８】
このように、実施例２に係るエアフィルタの取付構造によれば、左右何れの方向からでもエアフィルタ６７をルーバー６９に挿脱し得るので、自動製氷機９０の設置場所如何によってエアフィルタ６７の挿脱が不能となることはなく、設置位置が制限されることがない。しかも、状況に応じてエアフィルタ６７を挿脱する方向を変更することができ、作業性を向上し得る。更に、ルーバー６９の姿勢変位は、４つのリンク部材９４ａ〜９４ｄからなる枢支機構を介して行なわれるので、回動時のルーバー６９の左右方向へのズレを小さくし得る。従って、設置部９２の開口寸法をルーバー６９の大きさに極力近付けることができ、収容姿勢時の設置部９２とルーバー６９との隙間を小さくし得る。
【００３９】
なお、実施例２では、ルーバー６９を前面パネル３２に設けた場合を示したが、左右のパネル５０,４８に設けてもよい。また、実施例２では、収容部７９およびエアフィルタ６７をフラットな形状としたが、実施例１で説明した如く、凸円弧形状とすることも可能である。更に、実施例２では、前面パネル３２にルーバー６９が１つ設けられた場合を示したが、ルーバー６９を左右に隣接して複数設けてもよい。この場合であっても、ルーバー６９を第１または第２傾斜姿勢とすれば、挿脱口８１は前面パネル３２に対し斜め外方に開口するので、エアフィルタ６７を挿脱する際に隣接するルーバー６９と干渉することはない。
【００４０】
実施例２では、４つのリンク部材９４ａ〜９４ｄからなる枢支機構を介してルーバー６９の姿勢変位を行なうようにしたが、例えば、ルーバー６９の上面部および下面部の幅方向中央部を、設置部９２の上縁部９２ａおよび下縁部９２ｃに夫々軸支する構成を採用することも可能である。すなわち、ルーバー６９の幅方向中央部を回動支点として、姿勢変位を実現するようにしてもよい。この場合、枢支機構としては、上下に２つのリンク部材を設ければ足り、部品点数の抑制を図り得る。
【００４１】
実施例１および２では、自動製氷機６０,９０の筐体１２にルーバー６８,６９を設けた場合で説明したが、本発明に係るエアフィルタの取付構造を適用可能な対象としては、自動製氷機６０,９０に限られず、筐体のパネルにルーバーが設けられる構成であれば如何なるものであっても適用し得る。
【図面の簡単な説明】
【００４２】
【図１】実施例１に係るエアフィルタの取付構造が実施された自動製氷機を示す正面図である。
【図２】実施例１に係る自動製氷機を示す横断面図である。
【図３】実施例１に係る自動製氷機の要部を拡大して示す横断面図である。
【図４】実施例１で用いられるエアフィルタを示す図であって、(ａ)はエアフィルタの正面図であり、(ｂ)はエアフィルタの平面図である。
【図５】実施例１の別例であって、機械室が左側に設けられた自動製氷機を示す横断面図である。
【図６】実施例２に係るエアフィルタの取付構造が実施された自動製氷機の要部を拡大して示す分解斜視図である。
【図７】実施例２のルーバーが姿勢変位する様子を示す平面図であって、(ａ)はルーバーが収容姿勢にある状態を示し、(ｂ)はルーバーが第１傾斜姿勢にある状態を示し、(ｃ)はルーバーが第２傾斜姿勢にある状態を示す。
【図８】従来例に係るエアフィルタの取付構造が実施された自動製氷機を示す横断面図である。
【図９】従来例に係るエアフィルタの取付構造が実施された別の自動製氷機を示す横断面図である。
【符号の説明】
【００４３】
１２ 筐体，３２ 前面パネル(パネル)，３４ 空気吸込口
６６,６７ エアフィルタ，６８,６９ ルーバー，７１ 本体部
７８,７９ 収容部，８０,８１ 挿脱口，９２ 設置部
９４ａ〜９４ｄ 第１〜第４リンク部材(枢支機構)
【図１】
2009109078.tif 000003
【図２】
2009109078.tif 000004
【図３】
2009109078.tif 000005
【図４】
2009109078.tif 000006
【図５】
2009109078.tif 000007
【図６】
2009109078.tif 000008
【図７】
2009109078.tif 000009
【図８】
2009109078.tif 000010
【図９】
2009109078.tif 000011